(57)【要約】【課題】  物入れの押込み式蓋と開口との間に手や指が挟まることがなく、手や指の抜け止めを防止し、手や指の傷付きを防止することができること。【解決手段】  物入れの押込み式蓋２０は、ボックス本体の正面板の幅よりも小さな幅の開口２の上縁付近に枢支して取り付けられ、手で内向きに押し込んで開かれ、手を離して自動的に閉じられ、蓋２０と開口２との間に手や指が挟み込まれるのを防止する１対の挟み込み防止壁部材５０を備えている。【選択図】図１４
2011001141.tif 000002
【特許請求の範囲】
【請求項１】
物入れ用ボックス本体の正面板の幅よりも小さな幅の開口の上縁付近に枢支して取り付け
られ、手で内向きに押し込んで開かれ、手を離して自動的に閉じられる蓋を備えた物入れ
の押込み式蓋開閉装置において、手や指が前記蓋と前記開口との間に挟み込まれるのを防
止する１対の挟み込み防止壁部材を備えていることを特徴とする物入れの押込み式蓋開閉
装置。
【請求項２】
請求項１に記載の物入れの押込み式蓋開閉装置であって、前記開口の幅方向において、前
記挟み込み防止壁部材から前記蓋の側縁までの距離を、前記開口の側縁から前記蓋の側縁
までの距離と同等かそれよりも小さく設定したことを特徴とする物入れの押込み式蓋開閉
装置。
【請求項３】
請求項１又は２に記載の物入れの押込み式蓋開閉装置であって、前記ボックス本体の取付
け口に対応する開口を有し前記ボックス本体の正面板に取り付けられるべき取付け枠と、
前記取付け枠の開口を開閉するように前記取付け枠の前記開口の上縁部に設けられて前記
蓋を枢支する蓋枢支部とから成り、前記挟み込み防止壁部材は、前記取付け枠に設けられ
ていることを特徴とする物入れの押込み式蓋開閉装置。
【請求項４】
請求項３に記載の物入れの押込み式蓋開閉装置であって、前記取付け枠は、その両側に、
ボックス本体の取付け口の壁厚の内面にねじ止めすべき１対のねじ止め片を有し、前記挟
み込み防止壁部材は、前記ねじ止め片のねじ孔に対応するドライバ貫通孔を有することを
特徴とする物入れの押込み式蓋開閉装置。
【請求項５】
請求項１乃至４のいずれかに記載の物入れの押込み式蓋開閉装置であって、前記挟み込み
防止壁部材は、前記蓋の側縁に対して指が挟み込まれることがない程度に間隔をあけてい
ることを特徴とする物入れの押込み式蓋開閉装置。
【請求項６】
物入れ用ボックス本体の取付け口に対応しボックス本体の正面板の幅よりも小さな幅の開
口を有し前記ボックス本体の正面板に取り付けられるべき取付け枠と、前記開口を開閉す
る蓋と、前記取付け枠の開口の上縁部に設けられて前記蓋を枢支する蓋枢支部と、手や指
が前記蓋と前記取付け枠の開口との間に挟み込まれるのを防止する１対の挟み込み防止壁
部材を備えていることを特徴とする押込み式蓋開閉ユニット。
【請求項７】
請求項６に記載の物入れの押込み式蓋開閉装置であって、前記取付け枠の幅方向において
、前記挟み込み防止壁部材から前記蓋の側縁までの距離を、前記取付け枠の開口の側縁か
ら前記蓋の側縁までの距離と同等かそれよりも小さく設定したことを特徴とする押込み式
蓋開閉ユニット。
【請求項８】
請求項６又は７に記載の物入れの押込み式蓋開閉ユニットであって、前記取付け枠は、そ
の両側に、ボックス本体の取付け口の壁厚の内面にねじ止めすべき１対のねじ止め片を有
し、前記挟み込み防止壁部材は、前記ねじ止め片のねじ孔に対応するドライバ貫通孔を有
することを特徴とする物入れの押込み式蓋開閉ユニット。
【請求項９】
請求項６乃至８のいずれかに記載の物入れの押込み式蓋開閉ユニットであって、前記挟み込み防止壁部材は、前記蓋の側縁に対して指が挟み込まれることがない程度に間隔をあけていることを特徴とする物入れの押込み式蓋開閉ユニット
【発明の詳細な説明】
【技術分野】
【０００１】
本発明は、ダストボックスの如き物入れの開口に設けられる押込み式蓋開閉装置及び物
入れの取付け口に取り付けられる押込み式蓋開閉ユニットに関し、更に詳細に述べると、
物入れの正面板の幅よりも比較的小さな幅の開口に枢支して取り付けられた押込み式蓋を
開閉する装置及びそのユニットに関するものである。
【背景技術】
【０００２】
一般に、ダストボックス（ごみ入れ）の蓋（特許文献１の符号１９、特許文献２の符号
５参照）は、ボックス本体の正面の幅よりも小さな幅の開口の上縁に枢支して取り付けら
れており、この上枢支部を枢動しながら手で内向きに押し込んで開くようになっており、
蓋から手を離すと、この蓋は、ばね、重錘又は自重で自動的に閉じるようになっている（
特許文献１参照）。
【０００３】
しかし、ダストボックスにごみ等を捨てるために、人が手で蓋を押し込んで手を蓋から
離す際に、手が蓋の側縁と開口の側縁の間に挟まって手や指を抜くことができなかったり
、最悪の場合には、手や指を傷付けたりする虞があった。
【先行技術文献】
【特許文献】
【０００４】
【特許文献１】実開平２-１０５９０１号公報
【発明の概要】
【発明が解決しようとする課題】
【０００５】
本発明が解決しようとする１つの課題は、手が蓋の側縁と開口の側縁との間に挟まること
がなく、手や指の抜け止めを防止し、手や指の傷付きを防止することができる物入れの押
込み式蓋開閉装置を提供することにある。
【０００６】
本発明が解決しようとする他の課題は、物入れの開口に取り付けることができ、手や指が
蓋の側縁と開口の側縁との間に挟まることがなく、手や指の抜け止めを防止し、手や指の
傷付きを防止することができる物入れの押込み式蓋開閉ユニットを提供することにある。
【課題を解決するための手段】
【０００７】
本発明の第１の課題解決手段は、物入れ用ボックス本体の正面板の幅よりも小さな幅の開
口の上縁付近に枢支して取り付けられ、手で内向きに押し込んで開かれ、手を離して自動
的に閉じられる物入れの押込み式蓋開閉装置において、手や指が前記蓋と前記開口との間
に挟み込まれるのを防止する１対の挟み込み防止壁部材を備えていることを特徴とする物
入れの押込み式蓋開閉装置を提供することにある。
【０００８】
本発明の第１の課題解決手段において、ボックス本体の取付け口に対応する開口を有し
ボックス本体の正面板に取り付けられるべき取付け枠と、前記取付け枠の開口の上縁部に
設けられて前記蓋を枢支する蓋枢支部とから成り、前記挟み込み防止壁部材は、前記取付
け枠に別体で前記取付け枠に取り付けられていてもよいし、前記取付け枠に一体的に形成
されていてもよい。
【０００９】
また、取付け枠は、その両側に、ボックス本体の取付け口の壁厚の内面にねじ止めすべ
き１対のねじ止め片を有し、挟み込み防止壁部材は、前記ねじ止め片のねじ孔に対応する
ドライバ貫通孔を有するのが好ましい。
【００１０】
挟み込み防止壁部材は、蓋の開閉を阻害しない程度で蓋の側縁に接近していることが望
ましいが、蓋の側縁に対して指が挟み込まれることがない程度に間隔をあけていてもよい
。
【００１１】
この場合、取付け枠の幅方向において、挟み込み防止壁部材から蓋までの距離を、取付
け枠の開口の側縁から蓋の側縁までの距離と同等かそより小さく設定してもよい。
【００１２】
本発明の第２の課題解決手段は、物入れ用ボックス本体の取付け口に対応しボックス本体
の正面板の幅よりも小さな幅の開口を有し前記ボックス本体の正面に取り付けられるべき
取付け枠と、前記開口を開閉する蓋と、前記取付け枠の開口の上縁部に設けられて前記蓋
を枢支する蓋枢支部と、手や指が前記蓋と前記取付け枠の開口との間に挟み込まれるのを
防止する１対の挟み込み防止壁部材を備えていることを特徴とする物入れの押込み式蓋開
閉ユニットを提供することにある。
【００１３】
本発明の第２の課題解決手段において、挟み込み防止壁部材は、取付け枠に取り付けら
れてもよいし、取付け枠に一体に形成されていてもよい。
【００１４】
また、取付け枠は、その両側に、ボックス本体の開口の壁厚の内面にねじ止めすべき１
対のねじ止め片を有し、挟み込み防止壁部材は、前記ねじ止め片のねじ孔に対応するドラ
イバ貫通孔を有するのが好ましい。
【００１５】
挟み込み防止壁部材は、蓋の開閉を阻害しない程度で蓋の側縁に接近していることが望
ましいが、蓋の側縁に対して指が挟み込まれることがない程度に間隔をあけていてもよい
。
【００１６】
この場合、取付け枠の幅方向において、挟み込み防止壁部材から蓋までの距離を、取付け
枠の開口の側縁から蓋の側縁までの距離と同等かそより小さく設定してもよい。
【発明の効果】
【００１７】
本発明によれば、物入れの開口又は物入れの取付け口に取り付けられて物入れの開口を
形成する蓋開閉ユニットの取付け枠の開口との間に手や指が挟まれることがないようにし
た挟み込み防止壁部材を備えているので、蓋を押し込んだ後、蓋から手を離そうとする際
に、手や指が蓋と開口との間に挟まることがないので、手や指を確実に抜け止めすること
ができる上に、手や指を傷付けることがない。
【００１８】
また、蓋の取付け枠をボックス本体の取付け口に取り付けるねじ止め片が挟み込み防止
壁部材の外側にあっても、この挟み込み防止壁部材にドライバ貫通孔を有すると、このド
ライバ貫通孔を通してドライバを差し込んで取付け枠を取り付けることができ、蓋の取付
け作業に支障を生ずることがない。
【図面の簡単な説明】
【００１９】
【図１】本発明の押込み式蓋開閉装置を備えたダストボックスの形態の物入れの蓋閉状態の斜視図である。
【図２】図１の物入れの蓋半開状態の斜視図である。
【図３】図１の押込み式開閉装置の要部の内側から見た部分拡大斜視図である。
【図４】図３の装置をＢ−Ｂ線で断面して示し、同図（Ａ）は、その全体断面図、同図（Ｂ）は、その右側の端部の拡大断面図である。
【図５】図１のダストボックスに取り付けられるべき押込み式蓋開閉ユニットの正面図である。
【図６】図５の押込み式蓋開閉ユニットの背面図である。
【図７】図５の押込み式蓋開閉ユニットの上面図である。
【図８】図５の押込み式蓋開閉ユニットの下面図である。
【図９】図５の押込み式蓋開閉ユニットの右側面図である。
【図１０】図５の押込み式蓋開閉ユニットの背面図である。
【図１１】図５のＡ−Ａ線断面図である。
【図１２】図５の押込み式蓋開閉ユニットの正面側の斜視図である。
【図１３】図５の押込み式蓋開閉ユニットの背面側の斜視図である。
【図１４】図５の押込み式蓋開閉ユニットの蓋を４０度開いた状態の正面側の斜視図である。
【図１５】図５の押込み式蓋開閉ユニットの蓋を４０度開いた状態の背面側の斜視図である。
【図１６】図１４の１６−１６線断面図である。
【図１７】図５の押込み式蓋開閉ユニットの蓋を９０度開いた状態の正面側の斜視図である。
【図１８】図５の押込み式蓋開閉ユニットの蓋を９０度開いた状態の背面側の斜視図である。
【図１９】図５の押込み式蓋開閉ユニットの蓋を９０度開いた状態の右側面図である。
【図２０】図１乃至図１９の蓋と取付け枠と挟み込み防止壁部材との位置関係を示す拡大断面図である。
【図２１】蓋と取付け枠と挟み込み防止壁部材との１つの異なる位置関係を示す拡大断面図である。
【図２２】蓋と取付け枠と挟み込み防止壁部材との更に他の異なる位置関係を示す拡大断面図である。
【発明を実施するための形態】
【００２０】
本発明の１つの実施の形態を図１乃至図２０を参照して詳細に述べると、図１乃至図４
は、本発明の押込み式蓋開閉装置１０を備えたダストボックスの形態の物入れ１を示し、
この物入れ１は、四角柱の形態のボックス本体１Ｂから成り、ボックス本体１Ｂのダスト
を入れる開口２（この開口２は、図示の形態では、ボックス本体１Ｂではなく、ボックス
本体１Ｂの取付け口１ＢＨに取り付けられる後に述べる蓋開閉ユニット１０Ｂの取付け枠
の開口である）は、ボックス本体１Ｂの正面板１ＢＦの幅１Ｗ、即ち両側板１ＢＳ間の間
隔よりも小さな幅２Ｗを有する。
【００２１】
本発明の好ましい実施の形態による押込み式蓋開閉装置１０は、物入れ１から独立してこ
の物入れ１のボックス本体１Ｂの取付け口１ＢＨにねじ止めして取り付けられる押込み式
蓋開閉ユニット１０Ｕから成っている。
【００２２】
押込み式蓋開閉ユニット１０Ｕは、物入れ１の開口２（即ち、後に述べる取付け枠の開
口）を開閉する蓋２０と、物入れ１の開口２となるべき開口３２を有しボックス本体１Ｂ
の正面板に取り付けられるべき取付け枠３０と、この取付け枠３０の開口３２（物入れ１
の開口２）の上縁部に設けられて蓋２０を枢支する蓋枢支部４０とを備えている。
【００２３】
ボックス本体１Ｂ、蓋２０、取付け枠３０は、木材、プラスティック、金属の１つ又は
それ以上の組み合わせとすることができ、例えば、ボックス本体１Ｂは、木材とし、蓋２
０及び取付け枠３０は、金属とすることができる。
【００２４】
図示の形態では、取付け枠３０は、その背面に、１対のＵ字形取付部材３４を有し、こ
の取付け部材３４のウエブ３４Ｗは、ねじ３４ＷＳによって取付け枠３０の背面に取り付
けて固定されている。取付け部材３４の外側板部は、図４に示すように、ボックス本体１
Ｂの取付け口１ＢＨの内壁面にねじ３６Ｓによってボックス本体１Ｂに取り付けて固定さ
れるねじ止め片３６を形成している。図９、図１０、図１３、図１４、図１５図１７、図
１９において、符号３６Ｈは、ねじ結合片３６に設けられたねじ貫通孔を示す。
【００２５】
蓋枢支部４０は、取付け部材３４の内側の両側板部３４ＩＳに跨って支持された枢支軸
４２から成っており、蓋２０は、その上方の側縁に１対のアーム２０Ａ１、２０Ａ２を有
し、蓋２０は、この１対のアーム２０Ａ1、２０Ａ２を枢支軸４２に回転自在に取り付け
て枢支されている。図示の形態では、１対のアーム２０Ａ１、２０Ａ２の三角形状の延長
部２０Ａ１Ｅ、２０Ａ２Ｅ間にロッド状の重錘４４が取り付けられており、蓋２０は、こ
の重錘４４によって通常では取付け枠３０及びボックス本体１Ｂの開口２を閉じるように
付勢されている。
【００２６】
本発明の蓋開閉装置１０は、蓋２０の側縁２０Ｅと物入れの開口２である取付け枠３０
の開口３２の側縁との間に手や指の挟み込みを防止する１対の挟み込み防止壁部材５０を
備えている。
【００２７】
図示の形態では、この挟み込み防止壁部材５０は、特に、図４（Ｂ）に詳細に示すよう
に、取付け部材３４の内側の両側板部３４ＩＳから一体に延びているが、この両側板部３
４ＩＳに溶接、接着等によって取り付けてもよい。この挟み込み防止壁部材５０は、図４
（Ａ）（Ｂ）から解るように、物入れ１の正面板１ＢＦの板面から垂直に延びているが、
手や指の挟み込み防止の作用を減殺しない限り、やや末広がりに延びていてもよい。
【００２８】
また、この挟み込み防止壁部材５０は、ねじ止め片３６のねじ孔３６Ｈに対応するドラ
イバ貫通孔５２を有する。このドライバ貫通孔５２は、蓋開閉ユニット１０Ｕをボックス
本体１Ｂの取付け口１ＢＨの内壁面にねじ止めするのに用いられるドライバを貫通してね
じ止め片３６をねじ止めするのに用いられる。
【００２９】
挟み込み防止壁部材５０は、図４に示すように、蓋２０の開閉を阻害しない程度で蓋２
０の側縁２０ＳＥに接近していることが望ましいが、図２０乃至図２２に示すように、蓋
２０の側縁２０ＳＥに対して指が挟み込まれることがない程度に間隙Ｇを有していてもよ
い。
【００３０】
次に、本発明の押込み式蓋開閉装置１０を有する物入れ（ダストボックス）１の使用状
態を説明すると、通常では、図１、図５乃至図１３に示すように、蓋２０が重錘４４によ
って閉じられているが、ごみ等を捨てようとする人（使用者）が重錘４４に抗して手で蓋
２０を蓋枢支軸４２を中心に枢動して押し込みながら開いてごみ等をダストボックス１内
に捨てることができる。蓋２０が開いた状態は、図１４乃至図１９に示されている。その
後、蓋２０を閉じるために、使用者が蓋２０から手を離そうとする際に、手や指は、防止
壁部材５０によって開口２０の側縁よりも外側に入り込むことがないため、手や指が蓋２
０の側縁と開口２の側縁との間に挟まることがなく、手や指を開口２から確実に抜き出す
ことができる。
従って、使用者の手や指は、従来技術のダストボックスのように、蓋２０と開口２の壁と
の間に挟まれて抜き出すことができなくなったり、手や指が傷付いたりすることがない。
【００３１】
また、蓋開閉装置１０がユニット化されている場合、この蓋開閉ユニット１０Ｕをボッ
クス本体１Ｂの取付け口１ＢＨの内壁面にねじ止めするねじ止め片３６が防止壁部材５０
に接近してその外側に位置するのでねじ３６Ｓでねじ止め片３６をねじ止めすることが難
しいが、本発明の蓋開閉ユニットは、ねじ３６Ｓを駆動するドライバは、防止壁部材５０
のドライバ貫通孔５２を貫通してねじ３６Ｓにアクセスすることができるので、蓋開閉ユ
ニット１０Ｕをボックス本体１Ｂに容易に取り付けることができる。
【００３２】
上記実施の形態では、蓋２０は、その開閉に支障がない程度に防止壁部材５０に接近し
て配置されているが、図２０乃至図２２に関連して既に述べたように、手や指が入り込ま
ない程度の間隙Ｇを介して防止壁部材５０から離反していてもよい。
【００３３】
また、上記実施の形態では、挟み込み防止壁部材５０は、取付け枠３０の開口３２（又は
２）の内面に面一にしてボックス本体１Ｂの内部に延びており、また蓋２０は、この挟み
込み防止壁部材５０の側縁に接近しているが（図４参照）、取付け枠３０の幅方向におい
て、挟み込み防止壁部材５０から蓋２０までの距離を、取付け枠３０の開口３２の側縁か
ら蓋２０の側縁までの距離と同等かそれより小さく設定してもよい。
【００３４】
例えば、図２１に示すように、挟み込み防止壁部材５０は、取付け枠３０の開口３２（
又は２）の内面よりも若干内側に位置させてもよく、この場合には、蓋２０が挟み込み防
止壁部材５０に干渉しないように、その両端を同様に内側か、それよりも更に内側（図２
１参照）で終わるように幅狭にすることが必要である。
【００３５】
更に、図２２に示すように、挟み込み防止壁部材５０を取付け枠３０と一体に形成して
もよく、この場合、図示しないねじ止め片３６は、この取付け枠３０にねじ又は溶接等に
よって固定する必要がある。
【００３６】
図示の形態では、押込み式蓋開閉装置１０は、蓋開閉ユニット１０Ｕをボックス本体１
Ｂの取付け口１ＢＨに取り付けて形成されているが、ボックス本体１Ｂの取付け口１ＢＨ
を開口２とし、この開口２の上縁に蓋２０を枢支し、ボックス本体１Ｂの正面板１ＢＦの
内面に挟み込み防止壁部材５０を設けてもよい。
【産業上の利用可能性】
【００３７】
本発明は、物入れの開口又は物入れの取付け口に取り付けられて物入れの開口を形成す
る蓋開閉ユニットの取付け枠の開口との間に手や指が挟まれることがないようにした挟み
込み防止壁部材を備えているので、蓋を押し込んだ後、蓋から手を離そうとする際に、手
や指が蓋の側縁と開口の側縁との間に挟まることがなく、手や指を確実に抜け止めするこ
とができる上に、手や指を傷付けることがなく、産業上の利用性が高い。
【符号の説明】
【００３８】
１  物入れ
１Ｂ  ボックス本体
１ＢＦ  正面板
１ＢＳ  両側板
１ＢＨ  取付け口
１Ｗ  正面板の幅
２  開口
２Ｗ  開口の幅
１０  押込み式蓋開閉装置
１０Ｕ  押込み式蓋開閉ユニット
２０  蓋
２０Ａ１、２０Ａ２  アーム
２０Ａ１Ｅ、２０Ａ２Ｅ  延長部
２０ＳＥ  側縁
３０  取付け枠
３２  開口（＝開口２）
３４  取付け部材
３４Ｗ  ウエブ
３４ＷＳ  ねじ
３４Ｓ１  内側の両側板部
３６  ねじ止め片
３６Ｈ  ねじ貫通孔
３６Ｓ  ねじ
４０  蓋枢支部
４２  枢支軸
４４  重錘
５０  １対の挟み込み防止壁部材
５２  ドライバ貫通孔
Ｇ  隙間
【図１】
2011001141.tif 000003
【図２】
2011001141.tif 000004
【図３】
2011001141.tif 000005
【図４】
2011001141.tif 000006
【図５】
2011001141.tif 000007
【図６】
2011001141.tif 000008
【図７】
2011001141.tif 000009
【図８】
2011001141.tif 000010
【図９】
2011001141.tif 000011
【図１０】
2011001141.tif 000012
【図１１】
2011001141.tif 000013
【図１２】
2011001141.tif 000014
【図１３】
2011001141.tif 000015
【図１４】
2011001141.tif 000016
【図１５】
2011001141.tif 000017
【図１６】
2011001141.tif 000018
【図１７】
2011001141.tif 000019
【図１８】
2011001141.tif 000020
【図１９】
2011001141.tif 000021
【図２０】
2011001141.tif 000022
【図２１】
2011001141.tif 000023
【図２２】
2011001141.tif 000024